(57)【特許請求の範囲】
【請求項１】
ホームサーバが、入力されたユーザ情報をユーザ情報記憶手段に保持するステップと、
情報管理サーバが、入力されるテレビ番組ごと、かつ当該テレビ番組のテレビ広告とは独立した、ユーザ属性ごとの提供広告の指標と提供タイミングをデータベースに登録するステップと、
前記ホームサーバがテレビ受像機若しくはチャンネル選択手段から当該テレビ受像機の選択チャンネルを検出するステップと、
前記ホームサーバが、前記ユーザ情報記憶手段に保持しているユーザ情報と前記検出された選択チャンネルの情報を、情報ネットワークを通じて情報管理サーバに通知するステップと、
前記情報管理サーバが、前記ホームサーバから受信した前記ユーザ情報と選択チャンネルの情報に基づき、前記テレビ番組ごと、かつユーザ属性ごとの提供広告の指標と提供タイミングを登録したデータベースを検索し、当該選択チャンネルのテレビ番組と連動し、かつ当該ユーザ情報に対応したユーザ属性を指定する提供広告の指標とその提供タイミングに関連する情報を抽出するステップと、
前記情報管理サーバが、前記ホームサーバに前記情報ネットワークを通じて前記提供広告の指標とその提供タイミングに関連する情報を送信するステップと、
前記ホームサーバが、前記情報管理サーバから受信した前記提供広告の指標とその提供タイミングに関連する情報を広告提供情報記憶手段に保持するステップと、
前記ホームサーバが、前記広告提供情報記憶手段に保持している前記提供タイミングごとに該当提供広告の指標を参照して前記情報ネットワークを通じて該当広告情報の配信サーバにアクセスし、該当する広告情報を取得して表示手段に前記テレビ番組と連動して表示させるステップとを有することを特徴とする広告情報配信方法。
【請求項２】
ホームサーバが、入力されたユーザ情報をユーザ情報記憶手段に保持するステップと、
情報管理サーバが、入力されるテレビ番組ごと、かつ当該テレビ番組のテレビ広告とは独立した、ユーザ属性ごとの提供広告の指標と提供タイミングをデータベースに登録するステップと、
前記ホームサーバがテレビ受像機若しくはチャンネル選択手段から当該テレビ受像機の選択チャンネルを検出するステップと、
前記ホームサーバが、前記ユーザ情報記憶手段に保持しているユーザ情報と前記検出された選択チャンネルの情報を、情報ネットワークを通じて情報管理サーバに通知するステップと、
前記情報管理サーバが、前記ホームサーバから受信した前記ユーザ情報と選択チャンネルの情報に基づき、前記テレビ番組ごと、かつユーザ属性ごとの提供広告の指標と提供タイミングを登録したデータベースを検索し、当該選択チャンネルのテレビ番組と連動し、かつ当該ユーザ情報に対応したユーザ属性を指定する提供広告の指標とその提供タイミングに関連する情報を抽出するステップと、
前記情報管理サーバが、前記ホームサーバに前記情報ネットワークを通じて前記提供広告の指標とその提供タイミングに関連する情報を送信するステップと、
前記ホームサーバが、前記情報管理サーバから受信した前記提供広告の指標とその提供タイミングに関連する情報を前記広告提供情報記憶手段に保持するステップと、
前記ホームサーバが、前記広告提供情報記憶手段に保持している前記提供広告の指標のすべてを参照して前記情報ネットワークを通じて該当広告情報の配信サーバのすべてにアクセスし、該当する広告情報のすべてを取得して当該広告提供情報記憶手段に保持するステップと、
前記ホームサーバが、前記広告提供情報記憶手段に保持している前記提供タイミングごとに該当する広告情報を読み出して表示手段に前記テレビ番組と連動して表示させるステップとを有することを特徴とする広告情報配信方法。
【請求項３】
前記ホームサーバが、ユーザデータベースに前記選択チャンネルと対応するジャンルの情報を蓄積するステップと、前記ユーザデータベースに蓄積されているジャンルの情報に対して所定の期間の統計処理によってユーザの嗜好ジャンルを決定するステップと、前記決定したユーザの嗜好ジャンルを前記ユーザ情報に含めて前記ユーザ情報記憶手段に保持するステップとを有することを特徴とする請求項１又は２に記載の広告情報配信方法。
【請求項４】
前記ホームサーバが、複数のユーザごとのユーザ情報を保持し、複数のユーザごとのログインを受け付けて、該当するユーザのユーザ情報を前記情報管理サーバに送信することを特徴とする請求項１〜３のいずれかに記載の広告情報配信方法。
【請求項５】
ホームサーバと、情報管理サーバと、これらのホームサーバと情報管理サーバとの間に介在する情報ネットワークとを備えた広告情報配信システムであって、
前記ホームサーバは、
前記情報ネットワークを通じて前記情報管理サーバと情報通信する通信手段と、
テレビ受像機若しくはチャンネル選択手段から当該テレビ受像機の選択チャンネルを検出する手段と、
入力されたユーザ情報を保持するユーザ情報記憶手段と、
前記ユーザ情報記憶手段に保持しているユーザ情報と前記選択チャンネルの情報を前記通信手段によって情報管理サーバに通知させるユーザ情報通知手段と、
前記情報管理サーバから送られてきた提供広告の指標とその提供タイミングに関連する情報を保持する広告提供情報記憶手段と、
前記広告提供情報記憶手段に保持している前記提供タイミングごとに該当提供広告の指標を参照して前記情報ネットワークを通じて該当広告情報の配信サーバにアクセスし、該当する広告情報を取得して表示手段にテレビ番組と連動して表示させる広告情報取得手段とを有し、
前記情報管理サーバは、
テレビ番組ごと、かつ当該テレビ番組のテレビ広告とは独立した、ユーザ属性ごとの提供広告の指標と提供タイミングを登録したデータベースと、
前記情報ネットワークを通じて前記ホームサーバと情報通信する通信手段と、
前記ホームサーバから受信した前記ユーザ情報と選択チャンネルの情報に基づき、前記データベースを検索して当該選択チャンネルのテレビ番組と連動し、かつ当該ユーザ情報に対応したユーザ属性を指定する提供広告の指標とその提供タイミングに関連する抽出するデータベース検索手段と、
当該提供広告の指標とその提供タイミングに関連する情報を前記通信手段により前記ホームサーバに通知させる広告情報通知手段とを有することを特徴とする広告情報配信システム。
【請求項６】
ホームサーバと、情報管理サーバと、これらのホームサーバと情報管理サーバとの間に介在する情報ネットワークとを備えた広告情報配信システムであって、
前記ホームサーバは、
前記情報ネットワークを通じて前記情報管理サーバと情報通信する通信手段と、
テレビ受像機若しくはチャンネル選択手段から当該テレビ受像機の選択チャンネルを検出する手段と、
入力されたユーザ情報を保持するユーザ情報記憶手段と、
前記ユーザ情報記憶手段に保持しているユーザ情報と前記選択チャンネルの情報を前記通信手段によって情報管理サーバに通知させるユーザ情報通知手段と、
前記情報管理サーバから送られてきた提供広告の指標とその提供タイミングに関連する情報を保持する広告提供情報記憶手段と、
前記広告提供情報記憶手段に保持している前記提供広告の指標のすべてを参照して前記情報ネットワークを通じて該当広告情報の配信サーバのすべてにアクセスし、該当する広告情報のすべてを取得して当該広告提供情報記憶手段に保持する広告情報取得手段と、
前記広告提供情報記憶手段に保持している前記提供タイミングごとに該当する広告情報を読み出して表示手段にテレビ番組と連動して表示させる広告情報出力手段とを有し、
前記情報管理サーバは、
テレビ番組ごと、かつ当該テレビ番組のテレビ広告とは独立した、ユーザ属性ごとの提供広告の指標と提供タイミングを登録したデータベースと、
前記情報ネットワークを通じて前記ホームサーバと情報通信する通信手段と、
前記ホームサーバから受信した前記ユーザ情報と選択チャンネルの情報に基づき、前記データベースを検索して当該選択チャンネルのテレビ番組と連動し、かつ当該ユーザ情報に対応したユーザ属性を指定する提供広告の指標とその提供タイミングに関連する情報を抽出するデータベース検索手段と、
当該提供広告の指標とその提供タイミングに関連する情報を前記通信手段により前記ホームサーバに通知させる広告情報通知手段とを有することを特徴とする広告情報配信システム。
【請求項７】
前記ホームサーバは、ユーザの選択チャンネルとそれに対応するジャンルとの情報を蓄積するデータベースと、所定の期間の統計処理によってユーザの嗜好ジャンルを決定する統計手段とを有し、
前記ユーザ情報通知手段は、当該統計手段の決定したユーザの嗜好ジャンルを前記ユーザ情報に含めて前記情報管理サーバに通知することを特徴とする請求項５又は６に記載の広告情報配信システム。
【請求項８】
前記ホームサーバは、複数のユーザごとのユーザ情報を保持し、複数のユーザごとのログインを受け付けるログイン受付手段を有し、
前記ユーザ情報通知手段は、該当するユーザのユーザ情報を前記情報管理サーバに通知することを特徴とする請求項５〜７のいずれかに記載の広告情報配信システム。
【請求項９】
情報ネットワークを通じて情報管理サーバと情報通信する通信手段と、
テレビ受像機若しくはチャンネル選択手段から当該テレビ受像機の選択チャンネルを検出する手段と、
入力されたユーザ情報を保持するユーザ情報記憶手段と、
前記ユーザ情報記憶手段に保持しているユーザ情報と前記選択チャンネルの情報を前記通信手段によって情報管理サーバに通知させるユーザ情報通知手段と、
前記情報管理サーバから送られてきた提供広告の指標とその提供タイミングに関連する情報を保持する広告提供情報記憶手段と、
前記広告提供情報記憶手段に保持している前記提供タイミングごとに該当提供広告の指標を参照して前記情報ネットワークを通じて該当広告情報の配信サーバにアクセスし、該当する広告情報を取得して表示手段にテレビ番組と連動して表示させる広告情報取得手段とを備えたことを特徴とするホームサーバ。
【請求項１０】
情報ネットワークを通じて情報管理サーバと情報通信する通信手段と、
テレビ受像機若しくはチャンネル選択手段から当該テレビ受像機の選択チャンネルを検出する手段と、
入力されたユーザ情報を保持するユーザ情報記憶手段と、
前記ユーザ情報記憶手段に保持しているユーザ情報と前記選択チャンネルの情報を前記通信手段によって情報管理サーバに通知させるユーザ情報通知手段と、
前記情報管理サーバから送られてきた提供広告の指標とその提供タイミングに関連する情報を保持する広告提供情報記憶手段と、
前記広告提供情報記憶手段に保持している前記提供広告の指標のすべてを参照して前記情報ネットワークを通じて該当広告情報の配信サーバのすべてにアクセスし、該当する広告情報のすべてを取得して当該広告提供情報記憶手段に保持する広告情報取得手段と、
前記広告提供情報記憶手段に保持している前記提供タイミングごとに該当する広告情報を読み出して表示手段にテレビ番組と連動して表示させる広告情報出力手段とを備えたことを特徴とするホームサーバ。
【請求項１１】
ユーザの選択チャンネルとそれに対応するジャンルとの情報を蓄積するデータベースと、所定の期間の統計処理によってユーザの嗜好ジャンルを決定する統計手段とを備え、
前記ユーザ情報通知手段は、当該統計手段の決定したユーザの嗜好ジャンルを前記ユーザ情報に含めて前記情報管理サーバに通知することを特徴とする請求項９又は１０に記載のホームサーバ。
【請求項１２】
複数のユーザごとのユーザ情報を保持し、複数のユーザごとのログインを受け付けるログイン受付手段を備え、
前記ユーザ情報通知手段は、該当するユーザのユーザ情報を前記情報管理サーバに通知することを特徴とする請求項９〜１１のいずれかに記載のホームサーバ。
【請求項１３】
情報ネットワークを通じてホームサーバと情報通信する通信手段と、
テレビ番組ごと、かつ当該テレビ番組のテレビ広告とは独立した、ユーザ属性ごとの提供広告の指標と提供タイミングを登録したデータベースと、
前記ホームサーバから受信したユーザ情報と選択チャンネルの情報に基づき、前記データベースを検索して当該選択チャンネルのテレビ番組と連動し、かつ当該ユーザ情報に対応したユーザ属性を指定する提供広告の指標とその提供タイミングに関連する情報を作成するデータベース検索手段と、
当該ユーザ属性を指定する提供広告の指標とその提供タイミングに関連する情報を前記通信手段により前記ホームサーバに通知させる広告情報通知手段とを備えたことを特徴とする情報管理サーバ。
【請求項１４】
入力されたユーザ情報をユーザ情報記憶手段に保持する処理と、
テレビ受像機若しくはチャンネル選択手段から当該テレビ受像機の選択チャンネルを検出する処理と、
前記ユーザ情報記憶手段に保持しているユーザ情報と前記選択チャンネルの情報を、情報ネットワークを通じて情報管理サーバに通知する処理と、
前記情報管理サーバから受信した提供広告の指標とその提供タイミングに関連する情報を広告提供情報記憶手段に保持する処理と、
前記広告提供情報記憶手段に保持している前記提供タイミングごとに該当提供広告の指標を参照して情報ネットワークを通じて該当広告情報の配信サーバにアクセスし、該当する広告情報を取得して表示手段にテレビ番組と連動して表示させる処理とをコンピュータに実行させることを特徴とするホームサーバ用プログラム。
【請求項１５】
入力されたユーザ情報をユーザ情報記憶手段に保持する処理と、
テレビ受像機若しくはチャンネル選択手段から当該テレビ受像機の選択チャンネルを検出する処理と、
前記ユーザ情報記憶手段に保持しているユーザ情報と前記選択チャンネルの情報を、情報ネットワークを通じて情報管理サーバに通知する処理と、
前記情報管理サーバから受信した提供広告の指標とその提供タイミングに関連する情報を広告提供情報記憶手段に保持するステップと、
前記広告提供情報記憶手段に保持している前記提供広告の指標のすべてを参照して前記情報ネットワークを通じて該当広告情報の配信サーバのすべてにアクセスし、該当する広告情報のすべてを取得して当該広告提供情報記憶手段に保持する処理と、
前記広告提供情報記憶手段に保持している前記提供タイミングごとに該当する広告情報を読み出して表示手段にテレビ番組と連動して表示させる処理とをコンピュータに実行させることを特徴とするホームサーバ用プログラム。
【請求項１６】
データベースに前記選択チャンネルと対応するジャンルの情報を蓄積し、所定の期間の統計処理によってユーザの嗜好ジャンルを決定し、前記ユーザ情報に含めて送信する処理をコンピュータに実行させることを特徴とする請求項１４又は１５に記載のホームサーバ用プログラム。
【請求項１７】
複数のユーザごとのユーザ情報を保持し、複数のユーザごとのログインを受け付けて、該当するユーザのユーザ情報を前記情報管理サーバに送信する処理をコンピュータに実行させることを特徴とする請求項１４〜１６のいずれかに記載のホームサーバ用プログラム。
【請求項１８】
入力されるテレビ番組ごと、かつ当該テレビ番組のテレビ広告とは独立した、ユーザ属性ごとの提供広告の指標と提供タイミングをデータベースに登録する処理と、
ホームサーバから情報ネットワークを通じて受信したユーザ情報と選択チャンネルの情報に基づき、テレビ番組ごと、ユーザ属性ごとの提供広告の指標と提供タイミングを登録したデータベースを検索し、当該選択チャンネルのテレビ番組と連動し、かつ当該ユーザ情報に対応したユーザ属性を指定する提供広告の指標とその提供タイミングに関連する情報を抽出する処理と、
前記提供広告の指標とその提供タイミングに関連する情報を前記ホームサーバに前記情報ネットワークを通じて送信する処理とをコンピュータに実行させることを特徴とする情報管理サーバ用プログラム。
【発明の詳細な説明】
【０００１】
【発明の属する技術分野】
本発明は、広告情報配信システムを用いた広告情報配信方法、広告情報配信システム、情報端末、ホームサーバ、情報管理サーバ、広告配信サーバ、情報端末用プログラム、ホームサーバ用プログラム、情報管理サーバ用プログラム及び広告配信サーバ用プログラムに関する。
【０００２】
【従来の技術】
一般のテレビ放送で広告を流す場合、番組ごとのスポンサーが番組の途中の決められた時間帯に決められた時間だけ放送するシステムである。
【０００３】
【発明が解決しようとする課題】
このため、従来では、テレビ番組を視聴している多数の視聴者それぞれの嗜好に応じた広告を視聴者ごとに個別に提供することはできず、できることといえば、スポンサーが番組の内容に応じて視聴者の年代、性別、地域性等を考慮して提供番組を選択したり、また放送する広告内容を変えたりする程度しかできなかった。
【０００４】
その上、従来のテレビ放送では、番組の前後、途中の決められた時間帯に決められた時間だけ広告を流すだけであり、番組の進行中に場面に則し、かつ視聴者の嗜好に訴える広告を視聴者ごとに変えて提供するということは考えられないことであった。
【０００５】
一方、近年のＩＴ革命により各家庭にはテレビ受像機と共にインターネットに接続が可能なコンピュータが普及しており、そのＷｅｂ画面を通じて広告の提供が可能になっている。
【０００６】
本発明はこのような現状に鑑みて発明されたものであり、同じテレビ番組を視聴している多数の視聴者それぞれに対して、その嗜好に則し、かつテレビ広告とは別に、番組の場面場面の内容にも則した広告をホームサーバを通して提供することができる広告情報配信技術を提供することを目的とする。
【０００７】
【課題を解決するための手段】
請求項１の発明の広告情報配信方法は、ホームサーバが、入力されたユーザ情報をユーザ情報記憶手段に保持するステップと、情報管理サーバが、入力されるテレビ番組ごと、かつ当該テレビ番組のテレビ広告とは独立した、ユーザ属性ごとの提供広告の指標と提供タイミングをデータベースに登録するステップと、前記ホームサーバがテレビ受像機若しくはチャンネル選択手段から当該テレビ受像機の選択チャンネルを検出するステップと、前記ホームサーバが、前記ユーザ情報記憶手段に保持しているユーザ情報と前記検出された選択チャンネルの情報を、情報ネットワークを通じて情報管理サーバに通知するステップと、前記情報管理サーバが、前記ホームサーバから受信した前記ユーザ情報と選択チャンネルの情報に基づき、前記テレビ番組ごと、ユーザ属性ごとの提供広告の指標と提供タイミングを登録したデータベースを検索し、当該選択チャンネルのテレビ番組と連動し、かつ当該ユーザ情報に対応したユーザ属性を指定する提供広告の指標とその提供タイミングに関連する情報を抽出するステップと、前記情報管理サーバが、前記ホームサーバに前記情報ネットワークを通じて前記提供広告の指標とその提供タイミングに関連する情報を送信するステップと、前記ホームサーバが、前記情報管理サーバから受信した前記提供広告の指標とその提供タイミングに関連する情報を広告提供情報記憶手段に保持するステップと、前記ホームサーバが、前記広告提供情報記憶手段に保持している前記提供タイミングごとに該当提供広告の指標を参照して前記情報ネットワークを通じて該当広告情報の配信サーバにアクセスし、該当する広告情報を取得して表示手段に前記テレビ番組と連動して表示させるステップとを有することを特徴とするものである。
請求項２の発明の広告情報配信方法は、ホームサーバが、入力されたユーザ情報をユーザ情報記憶手段に保持するステップと、情報管理サーバが、入力されるテレビ番組ごと、かつ当該テレビ番組のテレビ広告とは独立した、ユーザ属性ごとの提供広告の指標と提供タイミングをデータベースに登録するステップと、前記ホームサーバがテレビ受像機若しくはチャンネル選択手段から当該テレビ受像機の選択チャンネルを検出するステップと、前記ホームサーバが、前記ユーザ情報記憶手段に保持しているユーザ情報と前記検出された選択チャンネルの情報を、情報ネットワークを通じて情報管理サーバに通知するステップと、前記情報管理サーバが、前記ホームサーバから受信した前記ユーザ情報と選択チャンネルの情報に基づき、前記テレビ番組ごと、かつユーザ属性ごとの提供広告の指標と提供タイミングを登録したデータベースを検索し、当該選択チャンネルのテレビ番組と連動し、かつ当該ユーザ情報に対応したユーザ属性を指定する提供広告の指標とその提供タイミングに関連する情報を抽出するステップと、前記情報管理サーバが、前記ホームサーバに前記情報ネットワークを通じて前記提供広告の指標とその提供タイミングに関連する情報を送信するステップと、前記ホームサーバが、前記情報管理サーバから受信した前記提供広告の指標とその提供タイミングに関連する情報を前記広告提供情報記憶手段に保持するステップと、前記ホームサーバが、前記広告提供情報記憶手段に保持している前記提供広告の指標のすべてを参照して前記情報ネットワークを通じて該当広告情報の配信サーバのすべてにアクセスし、該当する広告情報のすべてを取得して当該広告提供情報記憶手段に保持するステップと、前記ホームサーバが、前記広告提供情報記憶手段に保持している前記提供タイミングごとに該当する広告情報を読み出して表示手段に前記テレビ番組と連動して表示させるステップとを有することを特徴とするものである。
【０００８】
請求項３の発明は、請求項１又は２に記載の広告情報配信方法において、前記ホームサーバが、ユーザデータベースに前記選択チャンネルと対応するジャンルの情報を蓄積するステップと、前記ユーザデータベースに蓄積されているジャンルの情報に対して所定の期間の統計処理によってユーザの嗜好ジャンルを決定するステップと、前記決定したユーザの嗜好ジャンルを前記ユーザ情報に含めて前記ユーザ情報記憶手段に保持するステップとを有することを特徴とするものである。
【０００９】
請求項４の発明は、請求項１〜３のいずれかに記載の広告情報配信方法において、前記ホームサーバが、複数のユーザごとのユーザ情報を保持し、複数のユーザごとのログインを受け付けて、該当するユーザのユーザ情報を前記情報管理サーバに送信することを特徴とするものである。
【００１１】
請求項５の発明は、ホームサーバと、情報管理サーバと、これらのホームサーバと情報管理サーバとの間に介在する情報ネットワークとを備えた広告情報配信システムであって、前記ホームサーバは、前記情報ネットワークを通じて前記情報管理サーバと情報通信する通信手段と、テレビ受像機若しくはチャンネル選択手段から当該テレビ受像機の選択チャンネルを検出する手段と、入力されたユーザ情報を保持するユーザ情報記憶手段と、前記ユーザ情報記憶手段に保持しているユーザ情報と前記選択チャンネルの情報を前記通信手段によって情報管理サーバに通知させるユーザ情報通知手段と、前記情報管理サーバから送られてきた提供広告の指標とその提供タイミングに関連する情報を保持する広告提供情報記憶手段と、前記広告提供情報記憶手段に保持している前記提供タイミングごとに該当提供広告の指標を参照して前記情報ネットワークを通じて該当広告情報の配信サーバにアクセスし、該当する広告情報を取得して表示手段にテレビ番組と連動して表示させる広告情報取得手段とを有し、前記情報管理サーバは、テレビ番組ごと、かつ当該テレビ番組のテレビ広告とは独立した、ユーザ属性ごとの提供広告の指標と提供タイミングを登録したデータベースと、前記情報ネットワークを通じて前記ホームサーバと情報通信する通信手段と、前記ホームサーバから受信した前記ユーザ情報と選択チャンネルの情報に基づき、前記データベースを検索して当該選択チャンネルのテレビ番組と連動し、かつ当該ユーザ情報に対応したユーザ属性を指定する提供広告の指標とその提供タイミングに関連する抽出するデータベース検索手段と、当該提供広告の指標とその提供タイミングに関連する情報を前記通信手段により前記ホームサーバに通知させる広告情報通知手段とを有することを特徴とするものである。
【００１２】
請求項６の発明の広告情報配信システムは、ホームサーバと、情報管理サーバと、これらのホームサーバと情報管理サーバとの間に介在する情報ネットワークとを備えた広告情報配信システムであって、前記ホームサーバは、前記情報ネットワークを通じて前記情報管理サーバと情報通信する通信手段と、テレビ受像機若しくはチャンネル選択手段から当該テレビ受像機の選択チャンネルを検出する手段と、入力されたユーザ情報を保持するユーザ情報記憶手段と、前記ユーザ情報記憶手段に保持しているユーザ情報と前記選択チャンネルの情報を前記通信手段によって情報管理サーバに通知させるユーザ情報通知手段と、前記情報管理サーバから送られてきた提供広告の指標とその提供タイミングに関連する情報を保持する広告提供情報記憶手段と、前記広告提供情報記憶手段に保持している前記提供広告の指標のすべてを参照して前記情報ネットワークを通じて該当広告情報の配信サーバのすべてにアクセスし、該当する広告情報のすべてを取得して当該広告提供情報記憶手段に保持する広告情報取得手段と、前記広告提供情報記憶手段に保持している前記提供タイミングごとに該当する広告情報を読み出して表示手段にテレビ番組と連動して表示させる広告情報出力手段とを有し、前記情報管理サーバは、テレビ番組ごと、かつ当該テレビ番組のテレビ広告とは独立した、ユーザ属性ごとの提供広告の指標と提供タイミングを登録したデータベースと、前記情報ネットワークを通じて前記ホームサーバと情報通信する通信手段と、前記ホームサーバから受信した前記ユーザ情報と選択チャンネルの情報に基づき、前記データベースを検索して当該選択チャンネルのテレビ番組と連動し、かつ当該ユーザ情報に対応したユーザ属性を指定する提供広告の指標とその提供タイミングに関連する情報を抽出するデータベース検索手段と、当該提供広告の指標とその提供タイミングに関連する情報を前記通信手段により前記ホームサーバに通知させる広告情報通知手段とを有することを特徴とするものである。
請求項７の発明は、請求項５又は６に記載の広告情報配信システムにおいて、前記ホームサーバは、ユーザの選択チャンネルとそれに対応するジャンルとの情報を蓄積するデータベースと、所定の期間の統計処理によってユーザの嗜好ジャンルを決定する統計手段とを有し、前記ユーザ情報通知手段は、当該統計手段の決定したユーザの嗜好ジャンルを前記ユーザ情報に含めて前記情報管理サーバに通知することを特徴とするものである。
【００１３】
請求項８の発明は、請求項５〜７のいずれかに記載の広告情報配信システムにおいて、前記ホームサーバは、複数のユーザごとのユーザ情報を保持し、複数のユーザごとのログインを受け付けるログイン受付手段を有し、前記ユーザ情報通知手段は、該当するユーザのユーザ情報を前記情報管理サーバに通知することを特徴とするものである。
【００１５】
請求項９の発明のホームサーバは、情報ネットワークを通じて情報管理サーバと情報通信する通信手段と、テレビ受像機若しくはチャンネル選択手段から当該テレビ受像機の選択チャンネルを検出する手段と、入力されたユーザ情報を保持するユーザ情報記憶手段と、前記ユーザ情報記憶手段に保持しているユーザ情報と前記選択チャンネルの情報を前記通信手段によって情報管理サーバに通知させるユーザ情報通知手段と、前記情報管理サーバから送られてきた提供広告の指標とその提供タイミングに関連する情報を保持する広告提供情報記憶手段と、前記広告提供情報記憶手段に保持している前記提供タイミングごとに該当提供広告の指標を参照して前記情報ネットワークを通じて該当広告情報の配信サーバにアクセスし、該当する広告情報を取得して表示手段にテレビ番組と連動して表示させる広告情報取得手段とを備えたことを特徴とするものである。
【００１６】
請求項１０の発明のホームサーバは、情報ネットワークを通じて情報管理サーバと情報通信する通信手段と、テレビ受像機若しくはチャンネル選択手段から当該テレビ受像機の選択チャンネルを検出する手段と、入力されたユーザ情報を保持するユーザ情報記憶手段と、前記ユーザ情報記憶手段に保持しているユーザ情報と前記選択チャンネルの情報を前記通信手段によって情報管理サーバに通知させるユーザ情報通知手段と、前記情報管理サーバから送られてきた提供広告の指標とその提供タイミングに関連する情報を保持する広告提供情報記憶手段と、前記広告提供情報記憶手段に保持している前記提供広告の指標のすべてを参照して前記情報ネットワークを通じて該当広告情報の配信サーバのすべてにアクセスし、該当する広告情報のすべてを取得して当該広告提供情報記憶手段に保持する広告情報取得手段と、前記広告提供情報記憶手段に保持している前記提供タイミングごとに該当する広告情報を読み出して表示手段にテレビ番組と連動して表示させる広告情報出力手段とを備えたことを特徴とするものである。
請求項１１の発明は、請求項９又は１０に記載のホームサーバにおいて、ユーザの選択チャンネルとそれに対応するジャンルとの情報を蓄積するデータベースと、所定の期間の統計処理によってユーザの嗜好ジャンルを決定する統計手段とを備え、前記ユーザ情報通知手段は、当該統計手段の決定したユーザの嗜好ジャンルを前記ユーザ情報に含めて前記情報管理サーバに通知することを特徴とするものである。
【００１７】
請求項１２の発明は、請求項９〜１１のいずれかに記載のホームサーバにおいて、複数のユーザごとのユーザ情報を保持し、複数のユーザごとのログインを受け付けるログイン受付手段を備え、前記ユーザ情報通知手段は、該当するユーザのユーザ情報を前記情報管理サーバに通知することを特徴とするものである。
【００１９】
請求項１３の発明の情報管理サーバは、情報ネットワークを通じてホームサーバと情報通信する通信手段と、テレビ番組ごと、かつ当該テレビ番組のテレビ広告とは独立した、ユーザ属性ごとの提供広告の指標と提供タイミングを登録したデータベースと、前記ホームサーバから受信したユーザ情報と選択チャンネルの情報に基づき、前記データベースを検索して当該選択チャンネルのテレビ番組と連動し、かつ当該ユーザ情報に対応したユーザ属性を指定する提供広告の指標とその提供タイミングに関連する情報を作成するデータベース検索手段と、当該ユーザ属性を指定する提供広告の指標とその提供タイミングに関連する情報を前記通信手段により前記ホームサーバに通知させる広告情報通知手段とを備えたことを特徴とするものである。
【００２１】
請求項１４の発明のホームサーバ用プログラムは、入力されたユーザ情報をユーザ情報記憶手段に保持する処理と、テレビ受像機若しくはチャンネル選択手段から当該テレビ受像機の選択チャンネルを検出する処理と、前記ユーザ情報記憶手段に保持しているユーザ情報と前記選択チャンネルの情報を、情報ネットワークを通じて情報管理サーバに通知する処理と、前記情報管理サーバから受信した提供広告の指標とその提供タイミングに関連する情報を広告提供情報記憶手段に保持する処理と、前記広告提供情報記憶手段に保持している前記提供タイミングごとに該当提供広告の指標を参照して情報ネットワークを通じて該当広告情報の配信サーバにアクセスし、該当する広告情報を取得して表示手段にテレビ番組と連動して表示させる処理とをコンピュータに実行させることを特徴とするものである。
請求項１５の発明のホームサーバ用プログラムは、入力されたユーザ情報をユーザ情報記憶手段に保持する処理と、テレビ受像機若しくはチャンネル選択手段から当該テレビ受像機の選択チャンネルを検出する処理と、前記ユーザ情報記憶手段に保持しているユーザ情報と前記選択チャンネルの情報を、情報ネットワークを通じて情報管理サーバに通知する処理と、前記情報管理サーバから受信した提供広告の指標とその提供タイミングに関連する情報を広告提供情報記憶手段に保持するステップと、前記広告提供情報記憶手段に保持している前記提供広告の指標のすべてを参照して前記情報ネットワークを通じて該当広告情報の配信サーバのすべてにアクセスし、該当する広告情報のすべてを取得して当該広告提供情報記憶手段に保持する処理と、前記広告提供情報記憶手段に保持している前記提供タイミングごとに該当する広告情報を読み出して表示手段にテレビ番組と連動して表示させる処理とをコンピュータに実行させることを特徴とするものである。
【００２２】
請求項１６の発明は、請求項１４又は１５に記載のホームサーバ用プログラムにおいて、データベースに前記選択チャンネルと対応するジャンルの情報を蓄積し、所定の期間の統計処理によってユーザの嗜好ジャンルを決定し、前記ユーザ情報に含めて送信する処理をコンピュータに実行させることを特徴とするものである。
【００２３】
請求項１７の発明は、請求項１４〜１６のいずれかに記載のホームサーバ用プログラムにおいて、複数のユーザごとのユーザ情報を保持し、複数のユーザごとのログインを受け付けて、該当するユーザのユーザ情報を前記情報管理サーバに送信する処理をコンピュータに実行させることを特徴とするものである。
【００２５】
請求項１８の発明の情報管理サーバ用プログラムは、入力されるテレビ番組ごと、かつ当該テレビ番組のテレビ広告とは独立した、ユーザ属性ごとの提供広告の指標と提供タイミングをデータベースに登録する処理と、ホームサーバから情報ネットワークを通じて受信したユーザ情報と選択チャンネルの情報に基づき、当該選択チャンネルのテレビ番組と連動し、かつ当該ユーザ情報に対応したユーザ属性を指定する提供広告の指標とその提供タイミングに関連する情報を抽出する処理と、前記提供広告の指標とその提供タイミングに関連する情報を前記ホームサーバに前記情報ネットワークを通じて送信する処理とをコンピュータに実行させることを特徴とするものである。
【００２６】
つまり、本発明は、広告情報配信方法、広告情報配信システム、ホームサーバ、情報管理サーバ、ホームサーバ用プログラム及び情報管理サーバ用プログラムに係るものであって、ホームサーバがテレビ受像機若しくはチャンネル選択手段から当該テレビ受像機の選択チャンネルを検出し、当該ホームサーバのユーザ情報と選択チャンネルの情報を、情報ネットワークを通じて情報管理サーバに通知すると、情報管理サーバが、ホームサーバから受信したユーザ情報と選択チャンネルの情報に基づき、テレビ番組ごと、ユーザ属性ごとの提供広告の指標と提供タイミングを登録したデータベースを検索して当該選択チャンネルのテレビ番組と連動し、かつ当該ユーザ情報に対応した広告に関連する情報を作成し、アクセス元のホームサーバに情報ネットワークを通じて広告に関連する情報を送信する。そこで、ホームサーバでは、情報管理サーバから受信した広告に関連する情報に基づき、広告情報を取得し、ディスプレイに表示する。これにより、本発明では、同じテレビ番組を視聴している多数の視聴者それぞれに対して、その属性に則し、かつテレビ広告とは別に、番組の場面場面の内容にも則した広告をホームサーバを通して提供することができる。
【００２７】
また本発明では、ホームサーバにおいて、データベースに選択チャンネルと対応するジャンルの情報を蓄積し、所定の期間の統計処理によってユーザの嗜好ジャンルを決定し、ユーザ情報に含めて送信するようにすることにより、ホームサーバを使用するユーザの嗜好を特定し、その嗜好に則し、かつテレビ広告とは別に、番組の場面場面の内容にも則した広告をホームサーバを通して提供する。
【００２８】
また本発明では、ホームサーバにおいて、複数のユーザごとのユーザ情報を保持し、複数のユーザごとのログインを受け付けて、該当するユーザのユーザ情報を情報管理サーバに送信するようにすることにより、同じホームサーバを使用する複数のユーザ、例えば、家族を構成する年配者、若者、子供に至る複数のユーザそれぞれの嗜好に則し、かつテレビ広告とは別に、番組の場面場面の内容にも則した広告をホームサーバを通して提供する。
【００２９】
さらに本発明によれば、情報管理サーバが、テレビ番組ごと、ユーザ属性ごとの提供広告の指標と提供タイミングを登録したデータベースを保持していて、ホームサーバからユーザ情報と選択チャンネルの情報を受信したときに、選択チャンネル及びユーザ情報をキーとしてデータベースを検索して該当ユーザの属性に対応した提供広告の指標と提供タイミングを抽出して広告提供情報を作成し、広告に関連する情報として当該広告提供情報をホームサーバに情報ネットワークを通じて返信し、ホームサーバが、情報管理サーバから受信した広告提供情報に基づいて広告情報の取得タイミングを見計らい、情報ネットワークを通じて当該広告情報を提供する広告配信サーバにアクセスし、その広告情報を取得するようにすることにより、ホームサーバ側で情報管理サーバから受け取った広告提供情報に基づいて広告配信サーバにアクセスし、広告情報を取得するようになり、多数のホームサーバからアクセスを受ける情報管理サーバ側では広告配信サーバのＵＲＬのようなデータ量の少ない提供広告の指標を管理すればよくなってその負荷が軽減する。
【００３０】
【発明の実施の形態】
以下、本発明の実施の形態を図に基づいて詳説する。図１は本発明の広告情報配信システムの構成を示している。本実施の形態の広告情報配信システムは、広告配信サーバ１、情報管理サーバ２、ホームサーバ３及び情報端末４、広告配信サーバ１、情報管理サーバ２とホームサーバ３を結ぶインターネット、ＷＡＮさらにはその両方のような情報ネットワーク５から構成される。
【００３１】
広告配信サーバ１は、スポンサーごとに設置され、それぞれがＵＲＬを持つサーバ群であっても、多数のスポンサーが１つのサーバにあらかじめ自社の広告内容を登録する形態であってもよい。ここでは、説明の簡単化のために１台のコンピュータシステムとして示してある。この広告配信サーバ１はホームサーバ３からのＵＲＬを指定したアクセスに対して該当するＵＲＬに登録されている広告内容を情報ネットワーク５を通じて要求元のホームサーバ３に送信する機能を備えている。
【００３２】
情報管理サーバ２は本システムの中核をなすもので、Ｗｅｂサーバ、認証サーバ、事業形態によっては課金サーバ、データベースサーバ等のサーバ群もしくはこれらを統合した１〜複数のサーバで構成される。ここでは説明の簡単化のために１台のコンピュータシステムとして示してある。なお、広告配信サーバ１をこの情報管理サーバ２に統合することも可能であるが、ここでは別のシステムとして説明する。
【００３３】
図２に示すように、この情報管理サーバ２は、多数の放送局６から取得した放送番組情報と情報タグを組み合わせた情報を、情報ネットワーク５を通じてアクセスしてきたホームサーバ３ごとに配信する番組表配信機能２１、番組ごと、ユーザの嗜好ジャンルごとの提供広告の指標と提供タイミングを登録した情報提供データベース２２、情報ネットワーク５を通じてアクセスしてきたホームサーバ３の認証処理を実施する認証機能２３、ホームサーバ３から情報ネットワーク５を通じて選択番組情報を受信すると、当該ユーザ固有のキー情報に基づいてデータベース２２を検索してキー情報に該当する提供広告の指標と提供タイミングを抽出して広告提供情報を作成し、この広告提供情報をアクセス元のホームサーバ３に返信する広告提供情報返信機能２４を備えている。
【００３４】
図３に示すように、ホームサーバ３は、各家庭や事業所の居室に設置される汎用もしくは専用のコンピュータにより構成されるもので、情報端末通信インタフェース（Ｉ／Ｆ）３Ａと家電機器通信インタフェース（Ｉ／Ｆ）３Ｂを内蔵している。情報端末通信Ｉ／Ｆ３Ａには、例えば、ＩＥＥＥ８０２．１１ｂの無線ＬＡＮ通信手段、同じく８０２．１１ａの無線ＬＡＮ通信手段、Bluetooth仕様の無線通信手段、赤外線通信手段等が用いられる。また、家電機器通信Ｉ／Ｆ３Ｂには、赤外線通信手段、ＩＥＥＥ１３９４仕様の通信手段、ＵＳＢｖ１．１あるいはｖ２．０仕様の通信手段等が用いられる。
【００３５】
このホームサーバ３はまた、情報ネットワーク５を通じて情報管理サーバ２にアクセスし、情報管理サーバ２から受信した、図１３（Ａ）に示したような番組情報と同図（Ｂ）に示したような情報タグを組み合わせて番組スケジュール表を作成し、情報端末４に送信する番組表生成機能３１、情報端末４から送られてくる番組選択情報を受信して、チャンネル選択のリモコン信号をテレビ受像機７に向けて送出するチャンネル選択機能３２を備えている。
【００３６】
ホームサーバ３はさらに、前記番組選択情報とユーザ情報と番組のジャンルの実績を記憶装置内に構築されている視聴実績データベース３３に保存する番組選択情報登録機能３４、当該データベース３３に登録されている番組選択情報とユーザ情報とジャンルに対して統計処理を行い、ユーザごとの嗜好ジャンルを決定する統計処理し、この統計処理で得た選択番組情報と嗜好ジャンルの情報とユーザの情報を情報ネットワーク５を通じて情報管理サーバ２に通知する情報問い合せ機能３５、さらに、情報管理サーバ２から返信されてくる広告提供情報を保存する広告提供情報保存機能３６、受信した広告提供情報に基づき、広告情報の取得タイミングを見計らい、情報ネットワーク５を通じて当該広告情報を提供する広告配信サーバ１にアクセスし、その広告情報を取得して情報端末４に転送する広告取得機能３７を備えている。
【００３７】
図４に示すように、情報端末４はタッチ入力機能を有する可搬型のコンピュータで構成され、ハードウェアとしてホームサーバ通信インタフェース（Ｉ／Ｆ）４Ａを内蔵し、ディスプレイ４Ｂとタッチパネル４Ｃを備えている。ホームサーバ通信Ｉ／Ｆ４Ａには、ホームサーバ３側の情報端末通信Ｉ／Ｆ３Ａと同じ仕様のものが利用される。
【００３８】
この情報端末４は、ホームサーバ３に対してログインセッションによって接続し、ホームサーバ３から受信した番組スケジュール表をディスプレイ４Ｂに表示し、番組スケジュール表に対するタッチパネル４Ｃからの選択操作入力を受け付け、該当する番組選択情報をホームサーバ３に送信し、ホームサーバ３から受信した広告情報をディスプレイ４Ｂに表示する種々の制御を実行する入出力制御機能４１をソフトウェアとして備えている。
【００３９】
次に、上記構成の広告情報配信システムによる広告情報配信方法について、図５〜図１３を用いて説明する。家庭のテレビ受像機７は市販されている通常の製品であり、リモートコントロールできるものであるが、さらに、ホームサーバ３からも家電機器通信Ｉ／Ｆ３Ｂによりリモコン操作が可能である。ホームサーバ３は情報ネットワーク５に接続されている。また、情報端末４のユーザが複数人おり、各々が自身のＩＤ番号とパスワードを取得し、ホームサーバ３に登録してあり、そのうちのユーザＡが使用する場合について説明する。
【００４０】
情報管理サーバ２の番組表配信機能２１は、ＥＰＧ（Electric Program Guide）データと各放送局の規定する情報タグ、つまりニュース、スポーツニュース、エンターテイメント、バラエティ、スポーツ、コメディ、ドラマ、サスペンスドラマ等のジャンルを取得して保持している。なお、ジャンルについては、さらに詳しい分け方であってもよい。
【００４１】
ホームサーバ３の視聴実績データベース３３には、図１０に示すようなユーザ情報テーブル１１が登録されている。この登録情報は個々人のプライバシーが関係するので、ユーザ個々が了承する範囲で、かつ本システムの運営に必要な最低限度のものを登録することとし、ここでは、ＩＤ番号、１０代、２０代、…の年代層、性別、職業、地域の情報程度にとどめいている。なお、ホームサーバ３そのものもＭＡＣアドレスやその他の固有の識別番号を有していて、その設置場所との対応で情報管理サーバ２側には該当ホームサーバ３の設置地域の情報もあらかじめ登録するものとしてもよい。いずれにしても、広告スポンサーには地域性を重要視するものもあるので、情報管理サーバ２側ではユーザの年代層、性別、職業、居住地域程度の情報を収集し、それに応じた広告情報を提供できるようにする必要がある。
【００４２】
ホームサーバ３は、毎日、毎週、毎月等の一定の周期で自動的に情報ネットワーク５を通じて情報管理サーバ２にアクセスし、情報管理サーバ２から毎日、毎週、あるいは毎月のＥＰＧデータと各番組に付随する情報タグとを取得し、番組表情報として番組表生成機能３１に保持している。
【００４３】
いま、ユーザＡが情報端末４を使用してテレビ７を視聴しようとすれば、この情報端末４からホームサーバ３に対してログイン手続きを開始する。このログイン手続きでは、ホームサーバ３からログインメニュー画面が情報端末４に伝送され、そのディスプレイ４Ｂに表示されるので、ユーザＡはタッチパネル４Ｃをタッチ操作することによってＩＤ番号とパスワードを入力する（図５〜図８におけるステップＳ１）。照合が成立すればホームサーバ３はユーザＡのログインを許可する（同図におけるステップＳ２）。
【００４４】
ホームサーバ３の番組表生成機能３１は、ログイン手続きが完了すれば、該当日の番組表を作成し、情報端末４に対して電子番組表を送信する（ステップＳ３）。情報端末４は、受信した電子番組表を図１３に示すような態様でディスプレイ４Ｂに表示する（ステップＳ４）。
【００４５】
ユーザＡがディスプレイ４Ｂを見て該当する番組のエリアにタッチすれば、タッチパネル４Ｃがそのタッチ位置を検出し、これに対して入出力制御機能４１が該当エリアに対応する番組を特定し、選択番組、チャンネルの情報をホームサーバ３に送信する（ステップＳ５〜Ｓ７）。この番組選択情報は、図９（Ａ）に示すデータ構造であり、番組選択データであることを示すヘッダー、テレビ操作／ビデオ操作等のタスクを識別するタスク識別子、利用者識別子、選択チャンネルの識別子、チャンネル選択した視聴開始時間から構成される。
【００４６】
ホームサーバ３は、情報端末４からユーザＡの番組選択情報を受信すれば、チャンネル選択機能３２が家電機器通信Ｉ／Ｆ３Ｂによって該当チャンネルの選択信号を送出し、テレビ受像機７にチャンネル切り替えを行わせる（ステップＳ８）。
【００４７】
また、番組選択情報登録機能３４によって視聴実績データベース３３の図１１に示すような視聴統計テーブルに番組選択情報を登録する。この視聴統計テーブルは、例えば、ユーザＡが９：３０からチャンネル１を見始め、その番組のジャンルは００５であるということを示すデータである。そして、視聴統計テーブルに登録後、統計処理を実施し、テレビ７の視聴者であるユーザＡの嗜好ジャンルを過去の視聴番組実績から特定する（ステップＳ９）。嗜好ジャンルはユーザＡの視聴統計ＤＢの同一情報タグの総視聴回数と総視聴時間を用いて決定する。
【００４８】
続いて、ホームサーバ３の情報問い合せ機能３５が、情報管理サーバ２に対して提供情報取得要求を送信する（ステップＳ１０）。このコマンドは、図９（Ｂ）に示すデータ構造であり、情報取得コマンドであることを示すヘッダー、タスク識別子、利用者属性（つまり、図９（Ｅ）に示すようなユーザＡの年代層、性別、職業、嗜好ジャンル、地域の属性）、選択チャンネルの識別子、視聴開始時間、ホームサーバ識別子から構成される。また、ユーザＡに関する情報は、ログインしたユーザの情報をデータベース１１から抽出する。
【００４９】
情報管理サーバ２側では、情報取得要求を受信すれば（ステップＳ１１）、まず認証機能２３がアクセスしてきたホームサーバ３を認証し（ステップＳ１２）、認証が成立すれば提供情報の選定処理を実施する（ステップＳ１３）。この提供情報の選定処理は次による。
【００５０】
情報管理サーバ２は提供情報データベース２２にあらかじめ図１２に示すような提供情報テーブルを登録している。この提供情報テーブルは、番組ごと（したがってチャンネルごと、時間帯ごと）に、年代層、性別、職業、嗜好ジャンル、地域をキー情報として、番組内容と関連して提供する広告情報をアクセス指定時刻、アクセスする広告配信サーバの情報（ＵＲＬ）を登録したものである。
【００５１】
情報管理サーバ２の提供情報返信機能２４は、例えば、午後２０：００〜２０：４５の時間帯に放送される番組Ａについて、視聴者であるユーザＡの年代層が５０代、弁護士、嗜好ジャンルが００４、神奈川県在住という属性であれば、男女の性別を問わずに、これらをキー情報にして提供情報データベース２２を検索し、２０：３０に広告配信サーバＸＸＸ、２０：３６に広告配信サーバＹＹＹ、２０：４２に広告配信サーバＺＺＺを選定する提供情報選定結果を作成する。なお、キー情報が該当しない視聴者のアクセスに対しては、デフォルトの情報、つまり、２０：１０に広告配信サーバＸＸＸ、２０：２５に広告配信サーバｄｄｄ、２０：３５に広告配信サーバＰＰＰにアクセスするという広告の提供情報選定結果を作成する。
【００５２】
こうして広告提供情報選定結果を作成すれば、それをアクセス元のホームサーバ３に対して返信する（ステップＳ１４）。この返信される広告提供情報選定結果は、図９（Ｃ）に示すデータ構造であり、ヘッダー、タスク識別子、配信元の情報管理サーバの識別子、同図（Ｆ）に示す内容の提供情報１〜ｎから構成される。
【００５３】
提供情報取得要求を送信したアクセス元のホームサーバ３は、この提供情報選定結果を受信すれば（ステップＳ１５）、まず提供元の情報管理サーバ２を認証し（ステップＳ１６）、認証に成功すれば、受信した広告提供情報設定結果を広告提供情報保存機能３６により保存する。
【００５４】
この後、ホームサーバ３の広告取得機能３７は、保存した広告提供情報選定結果に基づき、広告情報の取得タイミングを見計らい、情報ネットワーク５を通じて当該広告情報を提供する広告配信サーバ（上記の場合であれば、２０：３０に広告配信サーバＸＸＸ、２０：３６に広告配信サーバＹＹＹ、２０：４２に広告配信サーバＺＺＺ）にアクセスし、それらの広告情報を取得して情報端末４に転送し、ディスプレイ４Ｂに表示させる（ステップＳ１７〜Ｓ２１）。ホームサーバ３から広告配信サーバ１に送られる提供情報要求は、図９（Ｄ）に示すデータ構造であり、ヘッダー、タスク識別子、アクセス元のホームサーバ識別子から構成される。
【００５５】
なお、上記の実施の形態において、ホームサーバ３の記憶容量が十分に大きい場合には、情報管理サーバから一括的に送信された提供広告の指標と提供タイミングの情報に基づき、該当する広告配信サーバ群に最初に連続的にアクセスして広告情報を取得して保存しておき、該当する提供タイミンごとに、該当する広告の内容をホームサーバ３の記憶装置から読み出して情報端末４に送信して表示させるようにすることもできる。
【００５６】
また、上記の実施の形態では広告情報の配信について説明したが、広告情報とは営利企業の広告のみならず、公共広告を含むものとする。
【００５７】
このようにして、本発明の第１の実施の形態の広告情報配信システム及びそれを用いた広告情報配信方法によれば、例えば、嗜好ジャンルがモータースポーツである若者が家電製品のメーカーの提供しているサスペンス番組を視聴しているような状況では、従来であれば番組の一定の区切りに流される家電製品のテレビコマーシャルしか見ることができなかったものが、番組の中で新型の自動車に登場人物が乗ってドライブしているタイミングに情報端末４にその自動車に関連した広告を提供するといったことができるようになる。また、情報端末４のディスプレイ４Ｂとしてテレビのマルチ画面を利用するようにすれば、番組の途中で同じテレビの画面から自動車の広告を提供することもできるようになる。また、非ＩＰ対応のビジュアル機器を制御する情報端末４に広告やコンテンツを配信することで、非ＩＰ対応機器と連動する情報提供が可能である。
【００５８】
次に、本発明の第２の実施の形態の広告情報配信システム及び広告情報配信方法について説明する。第２の実施の形態は、第１の実施の形態に対して、ユーザを識別せず、ホームサーバ１台につきユーザ１人に限定したことを特徴とする。すなわち、家人の誰が情報端末４を操作しようともＩＤ番号、パスワードは共通とし、そのホームサーバ３の設置されている家の家族、居住者の共通の嗜好ジャンルを特定し、その嗜好ジャンルに応じた広告情報を提供する、より簡単なシステム及び方法に特徴がある。
【００５９】
この場合、ホームサーバ３は、情報端末４からのログインセッションが完了したときに、情報ネットワーク５を通じて情報管理サーバ２にアクセスし、当該情報管理サーバ２から受信した番組情報と情報タグを組み合わせて番組スケジュール表を作成して情報端末４に送信し、情報端末４からの番組選択情報を受信して、チャンネル選択のリモコン信号をテレビ受像機７に向けて送出すると共に、番組選択情報と番組のジャンルをデータベース３３に登録し、かつ、当該データベース３３に登録されている番組選択情報とジャンルに対して統計処理を行い、ユーザの嗜好ジャンルを決定し、選択番組情報と嗜好ジャンルの情報とを情報ネットワーク５を通じて情報管理サーバ３に通知し、情報管理サーバ３からの広告提供情報を受信して保存し、保存した広告提供情報に基づいて広告情報の取得タイミングを見計らい、情報ネットワーク５を通じて当該広告情報を提供する広告配信サーバ１にアクセスし、その広告情報を取得して情報端末４に転送する機能を備えた構成となる。
【００６０】
また、情報管理サーバ２は、放送番組情報と情報タグを組み合わせた情報をホームサーバ３に配信し、番組ごと、ユーザの嗜好ジャンルごとの提供広告の指標と提供タイミングを登録したデータベース２２を保持し、ホームサーバ３からの選択番組情報を受信すると、嗜好ジャンルをキーにしてデータベース２２を検索して嗜好ジャンルに対応した提供広告の指標と提供タイミングを抽出して広告提供情報を作成し、当該広告提供情報をアクセス元のホームサーバ３に情報ネットワーク５を通じて返信する機能を備えた構成となる。
【００６１】
そしてこの第２の実施の形態の場合、図１１に示した視聴統計テーブルにおいて、ＩＤ番号は１つということになる。そして、ホームサーバ３から情報管理サーバ２に送信される情報取得要求も選択番組情報と利用者属性としての嗜好ジャンルだけということになる。加えて、情報管理サーバ２側の図１２に示した提供情報テーブルも簡単化され、年齢層、性別、職業、地域データは省略され、ジャンルだけがキー情報となる。
【００６２】
この第２の実施の形態の広告情報配信システム及びそれを用いた広告情報配信方法によれば、例えば、視聴者の家族全体の嗜好ジャンルがモータースポーツであれば、家電製品のメーカーが提供しているサスペンス番組を視聴しているような状況でも、番組の中で新型の自動車に登場人物が乗ってドライブしているタイミングに情報端末４にその自動車に関連した広告を提供するといったことができるようになる。他方、家族全体の嗜好ジャンルがクラッシック音楽であると判明すれば、家電製品のメーカーが提供しているサスペンス番組を視聴しているような状況でも、番組の中でクラッシック音楽が演奏されているときに、あるいは音響機器が映し出されたときに、音楽情報を提供しあるいは高級音響機器の広告を提供するといったことができるようになる。
【００６３】
またこの実施の形態でも、情報端末４のディスプレイ４Ｂとしてテレビのマルチ画面を利用するようにすれば、番組の途中で同じテレビの画面から自動車の広告を提供することもできるようになる。また、非ＩＰ対応のビジュアル機器を制御する情報端末４に広告やコンテンツを配信することで、非ＩＰ対応機器と連動する情報提供が可能である。
【００６４】
次に、本発明の第３の実施の形態の広告情報配信システム及びそれを用いた広告情報配信方法について説明する。第３の実施の形態は、第１の実施の形態に対して、情報管理サーバ２側でユーザの属性に相応しい嗜好ジャンル、例えば、若年層であればゲーム、自動車、映画、音楽等のジャンル、若年女性層であれば、化粧品、携帯電話、ダイエット等のジャンル、高年代層であれば男女を問わず健康食品、健康器具等と決めておき、各番組中で、これらに応じた広告配信サーバのアドレスと提供時間の組合せを提供情報テーブルに登録しておく。そして、あるユーザＡがある番組を選択したことをホームサーバ３から受信すれば、この提供情報テーブルを参照し、ユーザＡの年代層、性別、職業、地域に対応した広告タイミングと広告情報との組合せの提供情報を抽出し、アクセス元のホームサーバ３に送信することを特徴とする。
【００６５】
このため、この第３の実施の形態の広告情報配信システム及びそれを用いた広告情報配信方法では、ホームサーバ３は、同じホームサーバを利用する複数のユーザごとのログインを受け付け、情報端末４からの番組選択情報を受信して、チャンネル選択のリモコン信号をテレビ受像機７に向けて送出すると共に、番組選択情報と視聴中のユーザの情報とを情報ネットワーク５を通じて情報管理サーバ３に通知し、情報管理サーバ３からの広告提供情報を受信して保存し、保存した広告提供情報に基づいて広告情報の取得タイミングを見計らい、情報ネットワーク５を通じて当該広告情報を提供する広告配信サーバ１にアクセスし、その広告情報を取得して情報端末４に転送する機能を備えたものとなる。
【００６６】
また、情報管理サーバ２は、番組ごと、ユーザごとの提供広告の指標と提供タイミングを登録したデータベース２２を保持し、ホームサーバ３からの選択番組情報とユーザの情報を受信すると、視聴中の番組とユーザの情報をキーにしてデータベース２２を検索して該当ユーザに対応した提供広告の指標と提供タイミングを抽出して広告提供情報を作成し、当該広告提供情報をアクセス元のホームサーバ３に情報ネットワーク５を通じて返信する機能を備えたものとなる。
【００６７】
この第３の実施の形態の広告情報配信システム及びそれを用いた広告情報配信方法によれば、例えば、ユーザＡが若者であれば一律に、家電製品のメーカーが提供しているサスペンス番組を視聴しているような状況でも、番組の中で新型の自動車に登場人物が乗ってドライブしているタイミングに情報端末４にその自動車に関連した広告を提供するといったことができるようになる。他方、視聴者が若い女性である場合には、同じ番組の途中でも、ゴージャスなレストランが映し出されたときに一律にそのレストランに関連する広告情報を提供したり、高級化粧品が映し出されたときに一律に化粧品の広告情報を提供することができるようになる。
【００６８】
またこの実施の形態でも、情報端末４のディスプレイ４Ｂとしてテレビのマルチ画面を利用するようにすれば、番組の途中で同じテレビの画面から自動車の広告を提供することもできるようになる。また、非ＩＰ対応のビジュアル機器を制御する情報端末４に広告やコンテンツを配信することで、非ＩＰ対応機器と連動する情報提供が可能である。
【００６９】
なお、上記のいずれの実施の形態にあっても、視聴者の属性については例示したものに限定されることはなく、さらに増減することが可能であり、例えば、職業、地域を割愛することもできる。
【００７０】
【発明の効果】
以上のように本発明によれば、ホームサーバがテレビ受像機若しくはチャンネル選択手段から当該テレビ受像機の選択チャンネルを検出し、当該ホームサーバのユーザ情報と選択チャンネルの情報を、情報ネットワークを通じて情報管理サーバに通知すると、情報管理サーバが、ホームサーバから受信したユーザ情報と選択チャンネルの情報に基づき、当該選択チャンネルのテレビ番組と連動し、かつ当該ユーザ情報に対応した広告に関連する情報を作成し、アクセス元のホームサーバに情報ネットワークを通じて広告に関連する情報を送信し、そこでホームサーバでは、情報管理サーバから受信した広告に関連する情報に基づき、広告情報を取得し、ディスプレイに表示するので、同じテレビ番組を視聴している多数の視聴者それぞれに対して、その属性に則し、かつテレビ広告とは別に、番組の場面場面の内容にも則した広告をホームサーバを通して提供することができる。
【００７１】
また本発明によれば、ホームサーバにおいて、データベースに選択チャンネルと対応するジャンルの情報を蓄積し、所定の期間の統計処理によってユーザの嗜好ジャンルを決定し、ユーザ情報に含めて送信するようにすることにより、ホームサーバを使用するユーザの嗜好を特定し、その嗜好に則し、かつテレビ広告とは別に、番組の場面場面の内容にも則した広告をホームサーバを通して提供できるようになる。
【００７２】
また本発明によれは、ホームサーバにおいて、複数のユーザごとのユーザ情報を保持し、複数のユーザごとのログインを受け付けて、該当するユーザのユーザ情報を情報管理サーバに送信するようにすることにより、同じホームサーバを使用する複数のユーザ、例えば、家族を構成する年配者、若者、子供に至る複数のユーザそれぞれの嗜好に則し、かつテレビ広告とは別に、番組の場面場面の内容にも則した広告をホームサーバを通して提供できるようになる。
【００７３】
さらに本発明によれば、情報管理サーバが、テレビ番組ごと、ユーザ属性ごとの提供広告の指標と提供タイミングを登録したデータベースを保持していて、ホームサーバからユーザ情報と選択チャンネルの情報を受信したときに、選択チャンネル及びユーザ情報をキーとしてデータベースを検索して該当ユーザの属性に対応した提供広告の指標と提供タイミングを抽出して広告提供情報を作成し、広告に関連する情報として当該広告提供情報をホームサーバに情報ネットワークを通じて返信し、ホームサーバが、情報管理サーバから受信した広告提供情報に基づいて広告情報の取得タイミングを見計らい、情報ネットワークを通じて当該広告情報を提供する広告配信サーバにアクセスし、その広告情報を取得するようにすることにより、多数のホームサーバからアクセスを受ける情報管理サーバ側では広告提供サーバのＵＲＬのようなデータ量の少ない広告提供の指標のみを管理し、実際の広告情報は各ホームサーバ側で広告提供サーバから取得させることができ、情報管理サーバの負荷を軽減することができ、また広告配信サーバにより市場の変化に則し、タイムリーな広告情報の配信が可能となる。
【００７４】
つまり、本発明によれば、あるテレビ受像機で視聴しているユーザがモータスポーツを嗜好ジャンルとしていれば、従来であれば番組の一定の区切りに流される家電製品のテレビコマーシャルしか見ることができなかったものが、家電製品のメーカーが提供しているサスペンス番組を視聴しているような状況でも、番組の中で新型の自動車に登場人物が乗ってドライブしている場面でその自動車に関連した広告を当該ユーザに個別に提供するといったことができ、ユーザの嗜好に相応した広告情報をタイムリーに提供することができ、広告効果を高めることができる。
【００７５】
また本発明によれば、例えば、ホームサーバが個々のユーザごとに異なったＩＤ番号でのログインを受け付けるものであり、テレビを視聴しているユーザがモータスポーツを嗜好ジャンルとする者である場合、家電製品のメーカーが提供しているサスペンス番組を視聴しているような状況では、番組の中で新型の自動車に登場人物が乗ってドライブしている場面で、その自動車に関連した広告をホームサーバを通じて当該ユーザに提供するといったことができ、、他方、テレビを視聴している別のユーザがクラッシック音楽を嗜好ジャンルとしていれば、同じサスペンス番組を視聴しているような状況では、番組の中でクラッシック音楽が演奏されている場面で、あるいは音響機器が映し出された場面などで、音楽情報を提供しあるいは高級音響機器の広告を提供するといったことができ、ホームサーバのユーザが複数いる場合でも、実際にテレビ番組を視聴しているユーザ個々の嗜好に相応した広告情報をタイムリーに提供することができ、広告効果を高めることができる。
【図面の簡単な説明】
【図１】本発明の第１〜第３の実施の形態の広告情報配信システムの共通の構成のブロック図。
【図２】上記の広告情報配信システムにおける情報管理サーバの機能ブロック図。
【図３】上記の広告情報配信システムにおけるホームサーバの機能ブロック図。
【図４】上記の広告情報配信システムにおける情報端末の機能ブロック図。
【図５】上記の第１の実施の形態の広告情報配信システムの動作のシーケンス図その１。
【図６】上記の第１の実施の形態の広告情報配信システムの動作のシーケンス図その２。
【図７】上記の第１の実施の形態の広告情報配信システムを用いた広告情報配信方法のシーケンス図その１。
【図８】上記の第１の実施の形態の広告情報配信システムを用いた広告情報配信方法のシーケンス図その２。
【図９】同図（Ａ）は情報端末がホームサーバに送信する視聴情報のデータ構造図、同図（Ｂ）はホームサーバが情報管理サーバに送信する情報取得コマンドのデータ構造図、同図（Ｃ）は情報管理サーバがホームサーバに送信する提供情報選定情報のデータ構造図、同図（Ｄ）はホームサーバが広告配信サーバに送信する提供情報要求のデータ構造図、同図（Ｅ）は上記の情報取得コマンド中の利用者属性データの詳しい構成を示すデータ構造図、同図（Ｆ）は上記の提供情報選定情報中の提供情報の詳しい構成を示すデータ構造図。
【図１０】上記の第１の実施の形態におけるホームサーバのデータベースに登録されるユーザ情報テーブルの説明図。
【図１１】上記の第１の実施の形態におけるホームサーバのデータベースに登録される視聴統計テーブルの説明図。
【図１２】上記の第１の実施の形態における情報管理サーバのデータベースに登録される提供情報テーブルの説明図。
【図１３】上記の第１〜第３の実施の形態における情報端末の番組表表示画面と情報タグとの論理対応を示すイメージ図。
【符号の説明】
１  広告配信サーバ
２  情報管理サーバ
３  ホームサーバ
４  情報端末
５  情報ネットワーク
６  放送局
７  テレビ受像機
２１  番組表配信機能
２２  提供情報データベース
２３  認証機能
２４  提供情報返信機能
３Ａ  情報端末通信インタフェース
３Ｂ  家電機器通信インタフェース
３１  番組表生成機能
３２  チャンネル選択機能
３３  視聴実績データベース
３４  番組選択情報登録機能
３５  情報問い合せ機能
３６  広告提供情報保存機能
３７  広告取得機能
４Ａ  ホームサーバ通信インタフェース
４Ｂ  ディスプレイ
４Ｃ  タッチパネル
４１  入出力制御機能
【図１】
0003683551.tif 000002
【図２】
0003683551.tif 000003
【図３】
0003683551.tif 000004
【図４】
0003683551.tif 000005
【図５】
0003683551.tif 000006
【図６】
0003683551.tif 000007
【図７】
0003683551.tif 000008
【図８】
0003683551.tif 000009
【図９】
0003683551.tif 000010
【図１０】
0003683551.tif 000011
【図１１】
0003683551.tif 000012
【図１２】
0003683551.tif 000013
【図１３】
0003683551.tif 000014